(57)【特許請求の範囲】
【請求項１】
片面を電報用紙取付面とした台紙本体と開口された窓部を有する額縁体とが背を介して折畳み可能に連接され、
前記背から前記台紙本体と額縁体とを前記電報用紙取付面が内方となるように折り合わせたときに該電報用紙取付面と対応する額縁体の片面に、前記背側に位置する出し入れ口を開閉可能に覆うフラップを備えるとともに前記額縁体の窓部に対応する開口部を有した収納箱部が設けられ、
前記収納箱部の内方における前記開口部側の内面に相対して開口部を覆うようにして透明シートを配置させて、該透明シートの額縁体側の面に窓部より小寸の化粧部材を窓部に対応する位置にして取り付け、
前記化粧部材を取り付けた前記透明シートと収納箱部内方における開口部側の内面との間に、前記化粧部材を覆う透明シートを配置させ、
前記化粧部材と、収納箱部における前記透明シートの窓部側とは反対側に出し入れ可能に収めた枠体に嵌められた収納物とが、外部から前記窓部を通して目視可能に設けられていることを特徴とする電報用台紙。
【請求項２】
上記化粧部材を取り付けた透明シートの額縁体側とは反対側に、開口を窓部に相対させて二つ折りされた窓開きカバーを配置させ、上記収納箱部に前記二つ折りカバーに挟み入れた状態にして出し入れ可能に収めた収納物が、上記化粧部材とともに上記窓部を通して目視可能に設けられている請求項１に記載の電報用台紙。
【発明の詳細な説明】
【０００１】
【発明の属する技術分野】
本発明は電報用紙を取り付けるための電報用台紙に関するものである。
【０００２】
【発明が解決しようとする課題】
従来、電報用紙、特に祝電などのような電報を送る場合、送り手の気持ちをより表すことができるようにするために絵柄などが設けられた電報用台紙が用意されていて、電報用紙にこの電報用台紙を合わせて送り届けるようにすることが行われていた。
このような装飾のある従来の電報用台紙では、二つ折りされたシートの内面側を電報用紙取付面とするとともに、電報用紙を挟み込むようにして二つ折りしたときに外方となる外表面に絵柄などによる装飾を設けているが、電報用台紙の外表面に設けられる装飾は印刷や刺繍などの固定的な飾り付けであるために、季節感に応じた色彩を有する飾り付けや電報発信者側の要望に沿った飾り付けなどとなるような迅速な変更が行えないという問題があり、これらの要求に応じようとする数多くの種類の電報用台紙を用意しなければならないという不都合が生じる。また、従来の電報では電報用紙を送り届けるものであるため、発信者側から電報文とともに心づくしの品などを送ろうとしても受信者側へは送り届けることができず、よって、電報が無味乾燥的なものとなり易いという不都合があった。
そこで本発明は上記した従来の事情に鑑み、電報用台紙に設けられている装飾に変化を持たせ易くするとともに、受信者側への送り物を電報用台紙に予め備えることができるようにすることを課題とし、電報用台紙の有用性を向上させることを目的とするものである。
【０００３】
【課題を解決するための手段】
本発明は上記した従来の課題を考慮してなされたもので、片面を電報用紙取付面とした台紙本体と開口された窓部を有する額縁体とが背を介して折畳み可能に連接され、前記背から前記台紙本体と額縁体とを前記電報用紙取付面が内方となるように折り合わせたときに該電報用紙取付面と対応する額縁体の片面に、前記背側に位置する出し入れ口を開閉可能に覆うフラップを備えるとともに前記額縁体の窓部に対応する開口部を有した収納箱部が設けられ、前記収納箱部の内方における前記開口部側の内面に相対して開口部を覆うようにして透明シートを配置させて、該透明シートの額縁体側の面に窓部より小寸の化粧部材を窓部に対応する位置にして取り付け、前記化粧部材を取り付けた前記透明シートと収納箱部内方における開口部側の内面との間に、前記化粧部材を覆う透明シートを配置させ、前記化粧部材と、収納箱部における前記透明シートの窓部側とは反対側に出し入れ可能に収めた枠体に嵌められた収納物とが、外部から前記窓部を通して目視可能に設けられていることを特徴とする電報用台紙を提供して、上記課題を解消するものである。
そして、本発明にあっては、上記化粧部材を取り付けた透明シートの額縁体側とは反対側に、開口を窓部に相対させて二つ折りされた窓開きカバーを配置させ、上記収納箱部に前記二つ折りカバーに挟み入れた状態にして出し入れ可能に収めた収納物が、上記化粧部材とともに上記窓部を通して目視可能に設けられているものとすることができるものである。
【０００４】
【発明の実施の形態】
つぎに本発明を図１から図５に示す実施の形態に基づいて詳細に説明する。
図中１は電報用台紙で、該電報用台紙１は、片面を電報用紙取付面２とした台紙本体３とほぼ中央に開口された窓部４を有する額縁体５とが背６を介して折畳み可能に連接されているものであり、前記電報用紙取付面２を内方とする向きで前記台紙本体３と額縁体５とが折畳みできて本のように見開きでき、また逆に、前記電報用紙取付面２が外方となるようにして、前記台紙本体３と額縁体５とが折畳みできるように設けられている。
図示されているように台紙本体３の大きさは所定の寸法の電報用紙７より大寸に設定され、電報用紙取付面２にその電報用紙７を取り付けたときには台紙本体３の周りに電報用紙７がはみ出ないように設けられている。一方、上記額縁体５にあっては、前記電報用紙取付面２が内方となるように折り畳んだときに外表面となる面が、台紙本体３と背６との外表面とともに同一の外皮材８で覆われている。また、上記窓部４の周りが外方に膨出した形状とされ、額縁体５の外表面を平坦なものとはせずに変化を持たせたものとしている。
【０００５】
上記額縁体５の内表面、即ち、電報用紙取付面２が内方となるように折り合わせたときに電報用紙取付面２と対応する面には収納箱部９が設けられている。図示されているように、前記収納箱部９は背６側に出し入れ口１０を位置させ、この出し入れ口１０を開閉可能に覆うフラップ１１を備えている。また、前記額縁体５の窓部４に対応する開口部１２を有しており、窓部４とこの開口部１２を通して収納箱体９の内部側が目視できるように設けられている。断面において示されているように、収納箱部９には透明シート１３が位置していて、この透明シート１３が前記窓部４を覆うようにして収納箱部９の内方面側から取り付けられている。
額縁体５の窓部４の背部に収納箱部９を設けたこの電報用台紙１においては、窓部４を通して見える装飾と窓部４の周りの装飾との組み合わせに多くのバリエーションが得られるように、装飾の役割を持つ収納物１４を前記収納箱部９に出し入れできるものであって、収納する収納物１４を選択することで電報用台紙１の外観を変えることができる。収納物１４自体は装飾の役割を果たすものであるが、例えば収納物として袱紗を入れるようにすれば、開口部１２と窓部４とを通してみれる袱紗と窓部４の周りの装飾との組み合わせが得られ、収納箱部に入れる袱紗を交換することで外観が変化するようになり、バリエーションが増えるようになる。また、袱紗などの物品を入れることで電報受取人へ電報文とともに心づくしとしての品物を送付できるようになる。勿論、収納物１４としては袱紗に限定されるものではない。また、図示した例では収納物１４と窓部４との位置関係を合わせるために、枠体１５に収納物１４を嵌め、これを二つ折りされた窓開きカバー１６（窓部に対応した開口を有するカバー）に挟み入れた状態にして収納箱部９に収め、上記フラップ１１で収納箱部９の出し入れ口１０を閉じている。収納物を取り出す場合には前記出し入れ口１０を開いて窓開きカバー１６を引き出だせばよく、この窓開きカバー１６に挟まれた状態にして枠体ともに収納物が引き出されるようにしている。
さらに、図示した例では、上記窓開きカバー１６と収納箱部９の開口部１２側内面との間であって上記透明シート１３の背部に（図３参照）、前記開口部１２側内面に相対して窓部４を覆うようにした透明シート１７が挿入配置されていて、この透明シート１７の前記窓部４に対応する位置に、栞などとして利用できる薄形で窓部４より小寸の化粧部材１８が取り外し可能に取り付けられており、収納物１４の色彩や装飾を地としてこの化粧部材１８が窓部４から見えるように設けられている。この化粧部材１８を取り付けた透明シート１７も収納箱部９に出し入れできるものであり、電報文の内容などに応じて化粧部材１８が異なる透明シート１７を収納箱部９に入れることで電報用台紙の外観を変えることができるようにしている。本実施の形態では化粧部材１８としてエッチングを施した金属片を採用しているが、これに限定されるものではない。
【０００６】
つぎに本発明を図４から図５に示す他の実施の形態に基づいて詳細に説明する。なお、図１から図３と同一の番号を付したものは、同様の構成を有するため説明を省略する。
図４は本発明に係る電報用台紙の他の例を分離した状態を示す説明図である。図４において２１は透明シート１７に設けられた切欠け部、２２は透明シート１７に設けられた切込み部、２３は収納物１４と一緒に収納箱部９に収納される紐保持部で保持台紙２４と紐２５を有しており、２６は枠１５の先端である。
図４において、透明シート１３は分離しており、透明シート１７、枠体１５、収納物１４、紐保持部２３と同様に収納箱部９に収納される。この場合、透明シート１３と額縁体５と収納箱部９との間に貼着する場合に比較して、作業工程を省略することが可能となる。
透明シート１７は切欠け部２１を少なくとも二ヶ所有しており、この切欠け部２１に指を掛けることで、透明シート１７をスムーズに引き出すことが可能となる。また、透明シート１７は切込み部２２を少なくとも二ヶ所有しており、この切込み部２２に化粧部材１８を差し込むことで、透明シート１７に化粧部材１８を固定している。ここで化粧部材１８は、例えばエッチングを施した後メッキを行ったエッチングパーツを採用しているが、本発明はこれに限定されるものではない。また、図５において図示するが、化粧部材１８は透明シート１３と透明シート１７との間に位置し、外方からはこの化粧部材１８が透明シート１３により覆われている状態となりようにしている。透明シート１３と透明シート１７の材質としては、例えば、ＰＥＴなどの透明シートを採用しているが、これに限定するものではない。
枠体１５は略Ｌ字型の形状をしており、その先端２６が斜めに切断されている。このため、収納箱部９に枠体１５を背方向より収納した後、収納物１４を傷つけることなく容易に挿入することが可能となる。勿論、枠体１５の大きさと厚さは収納箱部９内部で収納物１４が動かないように決定される。枠体１５の材質は、例えば、段ボールを採用しているが、これに限定するものではない。
紐保持部２３は保持台紙２４と紐２５とを有しており、保持台紙２４にあけた穴に紐２５を結び付けている。この紐２５は化粧部材１８に付加価値を与えるもので、例えば、紐２５を化粧部材１８に結び直すことで、化粧部材１８を栞として使用するとが可能となる。保持台紙２４の材質は、例えば、紙を採用しているが、これに限定するものではない。
【０００７】
図５は額縁体を断面で示す説明図で、図４の線分Ａ−Ａにおける断面図である。なお、図５においては、透明シート１３、透明シート１７、枠体１５、収納物１４を収納した状態で図示しており、紐保持部２２は省略してある。
図５において、３１は基材シート部材、３２はカバーシート部材、３３は芯部材、３４は裏面シート部材、３５は袱紗である収納物１４の形を整える板状物、３６は額縁体５の側辺である。
額縁体５は基材シート部材３１に芯部材３３を貼着した後、カバーシート部材３２を貼着することで、窓部４の周りが外方に膨出した形状を作っており、さらにその外側に外皮材８を貼着することで意匠性を向上させている。この外皮材８は、額縁体５、背６、台紙本体３に亘って全面的に貼着されており、その側辺３６まで外皮材８に覆われている。基材シート部材３１及びカバーシート部材３２は、例えば、厚紙を採用しており、芯部材３３は、例えば、段ボールを採用しており、外皮材８は布またはビニールのクロスを採用しているが、これに限定するものではない。
裏面シート部材３４は、額縁体５、背６、台紙本体３に亘って全面的に貼着されており、特に、台紙本体３の内周面に位置して電報用紙取付面を形成している。裏面シート部材３４は例えば、紙を採用しているが、これに限定するものではない。なお、本実施の形態の場合、背６が外皮材８と裏面シート部材３４を貼着する構成を採用しているので、外皮材８と裏面シート部材３４で、背としての強度を保つだけの厚さ、材質を各々採用する必要がある。
透明シート１３と透明シート１７は化粧部材１８を挟持する形で収納箱部９の開口部１２側に収納されている。化粧部材１８は透明シート１７に取り付けられているが、透明シート１３によりその全体を覆われているため、収納、引き出し時に化粧部材１８が開口部１２に引っ掛かることはない。透明シート１７及び透明シート１３は、枠体１５及び収納物１４により支持されているため、収納箱部９の開口部１２を有する側に、軽く押し付けられて固定される。収納物１４は、例えば、袱紗を採用した場合、その形状と厚さを一定に保つ必要がある。本実施の形態では板状物３５を袱紗で包むことでその形状と厚さを整えている。また、収納物１４をビニール袋などに入れることで、その形状を固定するとともに、これを保護することも可能である。
【０００８】
【発明の効果】
以上説明した発明の電報用台紙によれば、片面を電報用紙取付面とした台紙本体と開口された窓部を有する額縁体とが背を介して折畳み可能に連接され、前記背から前記台紙本体と額縁体とを前記電報用紙取付面が内方となるように折り合わせたときに該電報用紙取付面と対応する額縁体の片面に、前記背側に位置する出し入れ口を開閉可能に覆うフラップを備えるとともに前記額縁体の窓部に対応する開口部を有した収納箱部が設けられ、前記収納箱部の内方における前記開口部側の内面に相対して開口部を覆うようにして透明シートを配置させて、該透明シートの額縁体側の面に窓部より小寸の化粧部材を窓部に対応する位置にして取り付け、前記化粧部材を取り付けた前記透明シートと収納箱部内方における開口部側の内面との間に、前記化粧部材を覆う透明シートを配置させ、前記化粧部材と、収納箱部における前記透明シートの窓部側とは反対側に出し入れ可能に収めた枠体に嵌められた収納物とが、外部から前記窓部を通して目視可能に設けられていることを特徴とするものであり、収納箱部に入れる収納物を変えることで、額縁体の窓部から見える収納物の装飾が変化するととなり、また、電報文の内容などに応じて化粧部材が異なる透明シートを収納箱部に入れることで、電報用台紙の外観も大きく変化させることができて、電報用台紙のバリエーションを多くすることが容易であるなど、実用性に優れた効果を奏するものである。
【図面の簡単な説明】
【図１】本発明に係る電報用台紙の一例を分離した状態で示す説明図である。
【図２】一例を閉じた状態で示す説明図である。
【図３】額縁体を断面で示す説明図である。
【図４】本発明に係る電報用台紙の他の例を分離した状態で示す説明図である。
【図５】額縁体を断面で示す説明図である。
【符号の説明】
１…電報用台紙
２…電報用紙取付面
３…台紙本体
４…窓部
５…額縁体
７…電報用紙
９…収納箱部
１３，１７…透明シート
１４…収納物
１６…窓開きカバー
１８…化粧部材
【図１】
0003646242.tif 000002
【図２】
0003646242.tif 000003
【図３】
0003646242.tif 000004
【図４】
0003646242.tif 000005
【図５】
0003646242.tif 000006